(57)【要約】【課題】  所定の形式で格納された画像データを使用者が所望するファイル形式で取得することが可能な画像処理装置を提供する。【解決手段】  入力された画像データを所定のファイル形式で格納する画像データ格納部と、画像データ格納部に格納された画像データに対応する画像データ情報の一覧を使用者の要求に応じて作成する画像データ情報一覧作成部と、画像データ情報一覧作成部により作成された画像データ情報の一覧の中から使用者が取得を望む画像データの選択を画像データ情報の選択を介して受け付けるとともに、選択された当該画像データ情報に対応する画像データのファイル形式の指定を受け付ける選択指定入力部と、選択指定入力部を介して使用者により選択された画像データを指定されたファイル形式に変換する画像データ変換部とを備えることを特徴とする画像処理装置。【選択図】  図１
2011229038.tif 000002
【特許請求の範囲】
【請求項１】
入力された画像データを所定のファイル形式で格納する画像データ格納部と、
前記画像データ格納部に格納された前記画像データに対応する画像データ情報の一覧を使用者の要求に応じて作成する画像データ情報一覧作成部と、
前記画像データ情報一覧作成部により作成された前記画像データ情報の一覧の中から使用者が取得を望む前記画像データの選択を前記画像データ情報の選択を介して受け付けるとともに、選択された当該画像データ情報に対応する前記画像データのファイル形式の指定を受け付ける選択指定入力部と、
前記選択指定入力部を介して使用者により選択された前記画像データを指定された前記ファイル形式に変換する画像データ変換部とを備えること
を特徴とする画像処理装置。
【請求項２】
前記画像データ情報の一覧は、
電子メールを介して前記使用者に通知されること
を特徴とする請求項１に記載の画像処理装置。
【請求項３】
前記画像データ格納部に格納される前記画像データの所定のファイル形式は、
ＢＭＰ形式であること
を特徴とする請求項１又は請求項２に記載の画像処理装置。
【請求項４】
前記使用者により指定される前記画像データのファイル形式は、
ＰＤＦ形式、ＪＰＥＧ形式、ＴＩＦＦ形式、又はＢＭＰ形式の何れかであること
を特徴とする請求項１乃至請求項３の何れかに記載の画像処理装置。
【請求項５】
入力された画像データを所定のファイル形式で格納する画像データ格納部と、
前記画像データが前記画像データ格納部に格納されるときに、当該画像データのデータサイズを取得する画像データサイズ取得部と、
前記画像データ格納部に格納された前記画像データに対応する画像データ情報と前記画像データサイズ取得部により取得された前記データサイズとの一覧を使用者の要求に応じて作成する画像データ情報一覧作成部と、
前記画像データ情報一覧作成部により作成された前記画像データ情報と前記データサイズとの一覧の中から使用者が取得を望む前記画像データの選択を前記画像データ情報の選択を介して受け付けるとともに、選択された当該画像データ情報に対応する前記画像データのファイル形式の指定を受け付ける選択指定入力部と、
前記選択指定入力部を介して使用者により選択された前記画像データを指定された前記ファイル形式に変換する画像データ変換部とを備えること
を特徴とする画像処理装置。
【請求項６】
前記画像データ情報の一覧は、
電子メールを介して前記使用者に通知されること
を特徴とする請求項５に記載の画像処理装置。
【請求項７】
前記画像データサイズ取得部が取得する前記画像データのファイル形式は、
ＰＤＦ形式、ＪＰＥＧ形式、ＴＩＦＦ形式、又はＢＭＰ形式の何れかであること
を特徴とする請求項５又は請求項６に記載の画像処理装置。
【請求項８】
前記使用者により指定される前記画像データのファイル形式は、
ＰＤＦ形式、ＪＰＥＧ形式、ＴＩＦＦ形式、又はＢＭＰ形式の何れかであること
を特徴とする請求項５乃至請求項７の何れかに記載の画像処理装置。
【請求項９】
前記画像データ情報は、
前記画像データの名称情報であること
を特徴とする請求項１乃至請求項８の何れかに記載の画像処理装置。
【発明の詳細な説明】
【技術分野】
【０００１】
本発明は、スキャナ機能、ＦＡＸ機能等を有し、入力された画像データに対して所定の処理を行う画像処理装置に関するものである。
【背景技術】
【０００２】
従来、例えば、スキャナ機能を用いて生成した読み取り原稿に基づく画像データや、ＦＡＸ機能を用いて外部通信端末装置から受信した画像データを格納した画像処理装置から、使用者が所望する画像データを取得する場合、格納されている画像データに対応する名称等から構成される一覧を出力し、当該一覧から使用者が所望する画像データに対応する名称等を選択させ、選択された名称に対応する画像データを出力するものがあった（例えば、特許文献１参照）。
【先行技術文献】
【特許文献】
【０００３】
【特許文献１】特開平７−１８２２１４号公報
【発明の概要】
【発明が解決しようとする課題】
【０００４】
しかしながら、上記特許文献１記載の技術では、画像処理装置が格納するのに適した所定のファイル形式の画像データを取得することは可能であるものの、使用者が所望するファイル形式の画像データを取得することができない。したがって、使用者は、所定のファイル形式の画像データを一旦、画像処理装置から取得した後に、当該画像データを所望のファイル形式に変換する必要があり、使い勝手が良いものではなかった。
【０００５】
本発明はこのような実情に鑑みてなされたものであり、本発明の課題は、所定の形式で格納された画像データを使用者が所望するファイル形式で取得することが可能な画像処理装置を提供することである。
【課題を解決するための手段】
【０００６】
上記課題を解決するために、本発明にかかる画像処理装置は、入力された画像データを所定のファイル形式で格納する画像データ格納部と、画像データ格納部に格納された画像データに対応する画像データ情報の一覧を使用者の要求に応じて作成する画像データ情報一覧作成部と、画像データ情報一覧作成部により作成された画像データ情報の一覧の中から使用者が取得を望む画像データの選択を画像データ情報の選択を介して受け付けるとともに、選択された当該画像データ情報に対応する画像データのファイル形式の指定を受け付ける選択指定入力部と、選択指定入力部を介して使用者により選択された画像データを指定されたファイル形式に変換する画像データ変換部とを備えることを特徴としている。
【０００７】
また、本発明にかかる画像処理装置は、入力された画像データを所定のファイル形式で格納する画像データ格納部と、画像データが画像データ格納部に格納されるときに、当該画像データのデータサイズを取得する画像データサイズ取得部と、画像データ格納部に格納された画像データに対応する画像データ情報と画像データサイズ取得部により取得されたデータサイズとの一覧を使用者の要求に応じて作成する画像データ情報一覧作成部と、画像データ情報一覧作成部により作成された画像データ情報とデータサイズとの一覧の中から使用者が取得を望む画像データの選択を画像データ情報の選択を介して受け付けるとともに、選択された当該画像データ情報に対応する画像データのファイル形式の指定を受け付ける選択指定入力部と、選択指定入力部を介して使用者により選択された画像データを指定されたファイル形式に変換する画像データ変換部とを備えることを特徴としている。
【発明の効果】
【０００８】
本発明によれば、所定のファイル形式で格納された画像データを使用者が所望するファイル形式で取得することが可能な画像処理装置を提供することができる。
【図面の簡単な説明】
【０００９】
【図１】ＭＦＰの構成を説明するための外観図である。
【図２】ＭＦＰの機能構成を説明するための機能ブロック図である。
【図３】画像データ変換処理部の内部機能構成を説明するための機能ブロック図である。
【図４】使用者が所望するファイル形式の画像データを取得するまでの動作を説明するためのフローチャートである。
【図５】格納画像データ一覧要求メールの一例を説明する概略図である。
【図６】格納画像データ一覧通知メールの一例を説明する概略図である。
【図７（ａ）】必要画像データ、ファイル形式指定メールの操作例を説明する概略図である。
【図７（ｂ）】必要画像データ、ファイル形式指定メールの操作例を説明する概略図である。
【図７（ｃ）】必要画像データ、ファイル形式指定メールの操作例を説明する概略図である。
【図８】画像データ添付メールの一例を説明する概略図である。
【図９】ＭＦＰの機能構成を説明するための機能ブロック図である。
【図１０】使用者が所望するファイル形式の画像データを取得するまでの動作を説明するためのフローチャートである。
【図１１】格納画像データ一覧通知メールの一例を説明する概略図である。
【図１２（ａ）】必要画像データ、ファイル形式指定メールの操作例を説明する概略図である。
【図１２（ｂ）】必要画像データ、ファイル形式指定メールの操作例を説明する概略図である。
【図１２（ｃ）】必要画像データ、ファイル形式指定メールの操作例を説明する概略図である。
【図１３】画像データ添付メールの一例を説明する概略図である。
【発明を実施するための形態】
【００１０】
以下、本発明の実施の形態について図面を参照して説明する。なお、本発明は以下の記述に限定されるものではなく、本発明の要旨を逸脱しない範囲において適宜変更可能である。
【００１１】
[第１の実施形態]
図１は、本実施形態にかかる画像処理装置としてのＭＦＰ（Multifunction Peripheral）１の構成を説明するための外観図である。
【００１２】
ＭＦＰ１は、読み取り対象の原稿を所定の搬送速度で搬送する自動給紙装置を備え、所定の解像度で原稿上の画像を読み取り、当該画像に基づく画像データを生成するスキャナ部１０１と、 スキャナ部１０１が生成した画像データに基づく画像を記録媒体上に印刷するとともに、同画像データの格納や、外部情報端末装置等との間でデータの送受信を行うプリンタ部１０２と、使用者が入力する情報の受け付けや装置状況等を表示する操作部１０３とを備える。
【００１３】
スキャナ部１０１は、原稿から画像を読み取り、当該画像に基づく画像データを生成することが可能であり、少なくとも、原稿に対して光を照射する光源と、原稿により反射された光を集光するレンズ群と、レンズ群で集光された光を光電変換し、画像に応じた電圧を発生する光電変換素子とを備えた読み取りユニットと、読み取り対象の原稿を当該読み取りユニットに搬送する自動給紙装置、又は読み取り対象の原稿が載置される原稿台等を備える。
【００１４】
プリンタ部１０２は、例えば、電子写真方式等の印刷部を備え、スキャナ部１０１が生成した画像データの記録媒体上への印刷や、同画像データの画像データ格納部への格納や、外部情報端末装置等との間でデータの送受信を行う。プリンタ部１０２については、後ほど詳細に説明する。
【００１５】
操作部１０３は、例えば、タッチパネル等の図示せぬ情報入力手段と、液晶ディスプレイ等の図示せぬ情報表示手段とを備え、情報入力手段を介して使用者により入力された情報の受付けや、情報表示手段を介してＭＦＰ１の動作状況、又は各種情報の表示を行う。具体的には、操作部１０３によれば、スキャナ部１０１による読み取り動作の実行、プリンタ部１０２への画像データの出力、画像データ格納部２０５に格納されている画像データの名称の決定・変更等を行うことができる。
【００１６】
図２は、ＭＦＰ１の機能構成を説明するための機能ブロック図である。ここでは、主にプリンタ部１０２の構成について説明する。
【００１７】
プリンタ部１０２は、主制御部２０１と、スキャナＩ／Ｆ制御部２０２と、操作部Ｉ／Ｆ制御部２０３と、印刷部２０４と、画像データ格納部２０５と、Ｉ／Ｆ制御部２０６と、ＲＯＭ（Read Only Memory）２０７と、ＲＡＭ（Random Access Memory）２０８と、画像データ変換処理部２０９と、メール解析部２１２とを備え、データ通信バス２１０を介して外部ＰＣ（Personal Computer）２１１と接続されている。
【００１８】
主制御部２０１は、ＣＰＵ（Central Processing Unit）等の中央演算装置を備え、ＲＯＭ２０７に格納されている制御プログラムに基づき、ＭＦＰ１全体を統括的に制御する。
【００１９】
スキャナＩ／Ｆ制御部２０２は、主制御部２０１からの指示に基づきスキャナ部１０１の動作を制御し、スキャナ部１０１が生成した画像データを出力する。
【００２０】
操作部Ｉ／Ｆ制御部２０３は、主制御部２０１からの指示に基づき操作部１０３の動作を制御する。具体的には、操作部Ｉ／Ｆ制御部２０３は、図示せぬ上記情報入力手段を介して使用者により入力された情報を主制御部２０１に出力するとともに、主制御部２０１の指示に基づき図示せぬ上記情報表示手段を介してＭＦＰ１の動作状況、又は各種情報の表示をさせる。
【００２１】
印刷部２０４は、少なくとも、電子写真方式、又は感熱記録方式等の印刷エンジンを備え、例えば、スキャナ部１０１が生成した画像データや、外部ＰＣ２１１から送信された画像データに基づく画像等を記録媒体に印刷する。
【００２２】
画像データ格納部２０５は、例えば、ＨＤＤ（Hard Disk Drive）、フラッシュメモリ等の書き換え可能な記憶装置を備え、スキャナ部１０１が生成した画像データや、外部ＰＣ２１１から受信した画像データをビット単位、すなわち、ＢＭＰ（Bitmap Image）形式で格納する。
【００２３】
Ｉ／Ｆ制御部２０６は、データ通信バス２１０と接続されており、外部ＰＣ２１１との画像データや、電子メールの送受信等を制御する。また、外部ＰＣ２１１から送信されたＭＦＰ１の動作命令はＩ／Ｆ制御部２０６を介して受信され、主制御部２０１に出力される。
【００２４】
ＲＯＭ２０７は、主制御部２０１が実行するＭＦＰ１の制御プログラム等を格納する不揮発性記憶装置である。
【００２５】
ＲＡＭ２０８は、画像データの一時的な蓄積や、主制御部２０１が制御プログラムを実行する上でのワーキングエリアとして機能する。
【００２６】
画像データ変換処理部２０９は、画像データ格納部２０５に格納されているＢＭＰ形式の画像データを使用者が所望するファイル形式に変換する。画像データ変換処理部２０９については、後ほど説明する。
【００２７】
データ通信バス２１０は、ＭＦＰ１と外部ＰＣ２１１とを接続するための電気信号線であり、本実施形態では、ＬＡＮ（Local Area Network）ケーブルを用いるものとする。
【００２８】
外部ＰＣ２１１は使用者が使用する外部情報端末装置であり、少なくとも、オペレーティングシステムに代表される基本ソフトウェア、当該基本ソフトウェア上で動作する電子メールソフト等のソフトウェアや、画像データ等の各種データを記憶する記憶装置と、上記ソフトウェアを実行する中央演算装置と、使用者による情報入力を受け付けるキーボードや、マウスといった入力装置と、中央演算装置によるソフトウェアの実行結果や、使用者が入力した情報、ＭＦＰ１の動作状況等を表示するＣＲＴ（Cathode Ray Tube）ディスプレイや、液晶ディスプレイ等の表示装置とを備える。
【００２９】
メール解析部２１２は、ＭＦＰ１が受信した電子メールの内容が、画像データ格納部２０５に格納された画像データに対応する画像データ情報の一覧を要求する内容であるか否か、又は画像データ情報の選択を介して取得が望まれる画像データが選択され、使用者が所望する画像データのファイル形式が指定されている内容であるか否かの解析・判定を行う。なお、本実施形態におけるメール解析部２１２による解析・判定は、受信した電子メールの件名によって行われるものとする。具体的には、メール解析部２１２は、電子メールの件名に一覧要求の旨があれば、画像データ情報の一覧要求メールであると判定し（以下、当該電子メールを格納画像データ一覧要求メールと称す）、ＭＦＰ１が使用者に対して送信した電子メールの返信である場合には、使用者により取得が望まれる画像データが選択され、使用者が所望する画像データのファイル形式が指定されたメールであると判定する（以下、当該電子メールを必要画像データ、ファイル形式指定メールと称する）。
【００３０】
次に、画像データ変換処理部２０９について説明する。図３は、画像データ変換処理部２０９の内部構成を説明するための機能ブロック図である。
【００３１】
画像データ変換処理部２０９は、画像データ指定部３０１と、変換形式指定判定部３０２と、画像データ変換部３０３と、格納画像一覧作成部３０４とを備える。
【００３２】
選択指定入力部としての画像データ指定部３０１は、受信した電子メールが必要画像データ、ファイル形式指定メールであるとメール解析部２１２が判定したときに、画像データ格納部２０５に格納されている画像データから、使用者により選択された画像データ情報に対応する画像データを選択するとともに、当該画像データを画像データ変換部３０３に出力する。
【００３３】
選択指定入力部としての変換形式指定判定部３０２は、受信した電子メールが必要画像データ、ファイル形式指定メールであるとメール解析部２１２が判定したときに、使用者が指定するファイル形式を判定するとともに、当該判定結果を画像データ変換部２０５に通知する。
【００３４】
画像データ変換部３０３は、画像データ格納部２０５に格納されているＢＭＰ形式の画像データをＰＤＦ（Portable Document Format）形式の画像データに変換するＰＤＦ変換部３０５と、同ＢＭＰ形式の画像データをＪＰＥＧ（Joint Photographic Experts Group）形式の画像データに変換するＪＰＥＧ変換部３０６と、同ＢＭＰ形式の画像データをＴＩＦＦ（Tagged Image File Format）形式の画像データに変換するＴＩＦＦ変換部３０７とを備え、画像データ指定部３０１により入力された画像データを変換形式指定判定部３０２から通知されたファイル形式に変換する。
【００３５】
画像データ情報一覧作成部としての格納画像一覧作成部３０４は、画像データ格納部２０５に格納されいている画像データの一覧化を行い、格納画像データ一覧を作成する。ここで、格納画像データ一覧において一覧化される内容としては、対応する画像データ名称と画像データ格納部２０５に格納された日時情報とすることができる。
【００３６】
このように、画像データ変換部３０３において使用者が所望するファイル形式に変換された画像データや、格納画像一覧作成部３０４において作成された格納画像データ一覧は、主制御部２０１による制御に基づき、Ｉ／Ｆ制御部２０６を介し、電子メールにて外部ＰＣ２１１に送信することができる。
【００３７】
次に、上記構成を備えた第１の実施形態にかかる動作について説明する。図４は、使用者が所望するファイル形式の画像データが取得されるまでの動作を説明するフローチャートである。
【００３８】
まず、図４のステップＳ１０１において、外部ＰＣ２１１を使用する使用者は、ＭＦＰ１に格納されている画像データを知るために、図示せぬ電子メールソフトウェアを用いて格納画像データ一覧要求メールをＭＦＰ１に対して送信する。図５は、格納画像データ一覧要求メールの一例を説明する概略図である。図５に示すように、格納画像データ一覧要求メール６００は、宛先６０１、及び件名６０２から構成される空メールであり、本実施形態においては、宛先６０１には、ＭＦＰ１の電子メール受信アドレスである「ｍｆｐ１＠ｘｘｘ．ｃｏｍ」が入力され、件名６０２には、ＭＦＰ１の画像データ格納部２０５に格納された画像データに対応する画像データ情報の一覧を要求する内容を表わす「格納画像データ一覧要求」が入力される。
【００３９】
外部ＰＣ２１１から送信された電子メールをＩ／Ｆ制御部２０６を介して受信すると、ＭＦＰ１の主制御部２０１は、受信した電子メールをメール解析部２１２に出力する。そして、メール解析部２１２は、入力された電子メールの解析・判定を行う。具体的には、メール解析部２１２は、入力された電子メールの件名を解析し、当該件名に「一覧要求」という記述があるか否かを判定する。ここで、受信した電子メールが上記の格納画像データ一覧要求メール６００である場合、メール解析部２１２は件名６０２を解析し、当該件名６０２の入力内容が「格納画像データ一覧要求」である旨を確認することで、ＭＦＰ１の画像データ格納部２０５に格納された画像データに対応する画像データ情報の一覧を使用者が要求していると判定し、その旨を主制御部２０１に対して通知する。
【００４０】
一方、受信した電子メールが上記の格納画像データ一覧要求メール６００でない場合、すなわち、電子メールの件名を解析した結果、「一覧要求」という記述が確認できなかった場合、メール解析部２１２は、ＭＦＰ１の画像データ格納部２０５に格納された画像データに対応する画像データ情報の一覧を使用者が要求していると判定できなかたった旨を主制御部２０１に対して通知する。そして、主制御部２０１は、この旨をＩ／Ｆ制御部２０６を介して電子メールにて使用者に通知する。
【００４１】
ところで、ＭＦＰ１の画像データ格納部２０５に格納された画像データに対応する画像データ情報の一覧を使用者が要求しているとメール解析部２１２により判定され、その旨が通知された主制御部２０１は、使用者の要求に応える動作を開始する。具体的には、主制御部２０１は、画像データ変換処理部２０９に対して画像データ格納部２０５に格納されている画像データの格納画像データ一覧を作成するよう指示を与える。
【００４２】
主制御部２０１からの指示を受けた画像データ変換処理部２０９の格納画像データ一覧作成部３０４は、画像データ格納部２０５に格納されている画像データの一覧化を行い、格納画像データの一覧を作成する。そして、主制御部２０１は、作成された格納画像データの一覧を使用者宛ての電子メールに記載し、Ｉ／Ｆ制御部２０６を介して外部ＰＣ２１１に対して送信させる（図４  ステップＳ１０２）。
【００４３】
図６は、外部ＰＣ２１１に対して送信される格納画像データ一覧通知メールの一例を説明する概略図である。図６に示すように、格納画像データ一覧通知メール７００は、宛先７０１、件名７０２、画像データ番号７０３、画像データ名称７０４、格納日時７０５、画像データ選択チェックボックス７０６、ファイル形式指定プルダウンメニュー７０７、及びＫｅｙ指定ボックス７０８から構成される。
【００４４】
宛先７０１には、外部ＰＣ２１１における使用者の電子メール受信アドレスである「ｐｃ２１１＠ｘｘｘ．ｃｏｍ」が入力される。件名７０２には、ＭＦＰ１が送信した電子メールの記載内容が格納画像データの一覧である旨を表わす「格納画像データ一覧通知」が入力される。
【００４５】
画像データ番号７０３は、画像データ格納部２０５に格納されているそれぞれの画像データに割り振られた通し番号である。この通し番号の割り振りには、特に制限はなく、例えば、画像データ格納部２０５に格納された日時順でも、画像データ名称のアルファベット順でもよく、適宜設定変更することができる。
【００４６】
画像データ名称７０４は、画像データ格納部２０５に格納されているそれぞれの画像データに対応させて命名された名称であり、操作部１０３を介して適宜決定・変更を行うことができる。なお、画像データ名称７０４に表示される各々の画像データ名称と画像データ格納部２０５における当該画像データの格納アドレスとを対応させることも可能である。すなわち、使用者が取得を望む画像データに対応する画像データ名称がマウス等の図示せぬ入力手段を用いて選択されたタイミングに合わせて、対応する画像データの内容をプレビュー形式で表示させることにより、使用者に対する利便性を高めるとともに、画像データの選択の瑕疵を事前に防止することができる。
【００４７】
格納日時７０５には、それぞれの画像データが画像データ格納部２０５に格納された日時、画像データの編集日時、又は画像データ名称の変更日時等の日時情報が表示される。
【００４８】
画像データ選択チェックボックス７０６は、使用者が取得を望む画像データの選択を受け付けるチェックボックスである。使用者による画像データの選択動作については、後ほど説明する。
【００４９】
ファイル形式指定プルダウンメニュー７０７は、使用者が所望する画像データのファイル形式の指定を受け付けるプルダウンメニューである。使用者による画像データのファイル形式の指定動作については、後ほど説明する。
【００５０】
Ｋｅｙ指定ボックス７０８は、使用者が指定する文字列の入力を受け付けるボックスである。ここで、使用者が文字列を入力すると、画像データ選択チェックボックス７０６において選択され、且つ、ファイル形式指定プルダウンメニュー７０７においてファイル形式が指定された画像データにおいて、Ｋｅｙ指定ボックス７０８に入力された文字列を含む頁の画像データのみを出力させることができる。
【００５１】
次に、上記構成の格納画像データ一覧通知メール７００に対して、使用者が取得を望む画像データの選択動作と、所望のファイル形式の指定動作とについて説明する。なお、本実施形態においては、上記選択動作、及び指定動作は、格納画像データ一覧通知メール７００に対する返信メールである必要画像データ、ファイル形式指定メール７００’を用いて行うものとする。ここで、以下の図７（ａ）、図７（ｂ）等で説明する図中の符号については、図６で説明したものと同一な構成については、図６で付した符号に「’」を付与してその説明は省略するものとする。
【００５２】
図４のステップＳ１０２において、ＭＦＰ１から送信された格納画像データ一覧通知メール７００を受信すると、使用者は、受信した格納画像データ一覧通知メール７００に返信する形態で、取得を望む画像データの選択動作と、所望のファイル形式の指定動作を実行する（図４  ステップＳ１０３）。
【００５３】
具体的には、図７（ａ）に示すように、使用者は、取得を望む画像データに対応する画像データ選択チェックボックス７０６’をマウス等の図示せぬ入力手段を用いて選択する。選択された画像データ選択チェックボックス７０６’にはチェックマークが表示され、使用者により当該画像データが選択された旨が示される。なお、上記画像データ選択チェックボックス７０６’へのチェックは、使用者が使用する外部ＰＣ２１１上での操作となるため、図示せぬ表示装置に表示された必要画像データ、ファイル形式指定メール７００’上の画像データ選択チェックボックス７０６’をマウスカーソル７０９でクリックした場合にチェックがなされる。
【００５４】
次に、図７（ｂ）に示すように、使用者は、ファイル形式指定プルダウンメニュー７０７’に表示された、ＰＤＦ形式、ＪＰＥＧ形式、ＴＩＦＦ形式、又はＢＭＰ形式の何れかのファイル形式から所望のファイル形式を指定する。なお、上記ファイル形式指定プルダウンメニュー７０７’におけるファイル形式の指定は、使用者が使用する外部ＰＣ２１１上での操作となるため、図示せぬ表示装置に表示された必要画像データ、ファイル形式指定メール７００’上のファイル形式指定プルダウンメニュー７０７’に表示された、ＰＤＦ形式、ＪＰＥＧ形式、ＴＩＦＦ形式、又はＢＭＰ形式の何れかのファイル形式をマウスカーソル７０９でクリックした場合に指定がなされる。
【００５５】
このようにして、使用者が取得を望む画像データの選択動作と、所望のファイル形式の指定動作とが行われた必要画像データ、ファイル形式指定メール７００’の表示例の一例を示したのが図７（ｃ）である。図７（ｃ）は、画像データ番号７０３’が“Ｎｏ．２”であり、画像データ名称７０４’が“旅行＿集合写真”である画像データが使用者により選択され、ファイル形式として“ＪＰＥＧ”形式が指定された例を説明する図である。なお、図示はしないが、使用者は、Ｋｅｙ指定ボックス７０８’に所定の文字列を入力することにより、画像データ名称が“旅行＿集合写真”に対応する画像データ内において、所定の文字列を含む頁に対応する画像データのみを出力させることも可能である。
【００５６】
そして、使用者が取得を望む画像データの選択動作と、所望のファイル形式の指定動作とが行われ、必要画像データ、ファイル形式指定メール７００’が作成されると、外部ＰＣ２１１は、当該必要画像、ファイルｋ形式指定メール７００’をＭＦＰ１に対して電子メールにて送信する。
【００５７】
外部ＰＣ２１１から送信された電子メールをＩ／Ｆ制御部２０６を介して受信すると、ＭＦＰ１の主制御部２０１は、受信した電子メールをメール解析部２１２に出力する。そして、メール解析部２１２は、入力された電子メールの解析・判定を行う。具体的には、メール解析部２１２は、入力された電子メールの件名を解析し、当該件名にＭＦＰ１から外部ＰＣ２１１に対して送信された格納画像データ一覧通知メールに対する返信メールである旨を示す「Ｒｅ：格納画像データ一覧通知」という記載があるか否かを判定する。ここで、受信した電子メールが格納画像データ一覧通知メール７００の返信である必要画像データ、ファイル形式指定メール７００’である場合、メール解析部２１２は件名７０２’を解析し、当該件名７０２’の入力内容が「Ｒｅ：格納画像データ一覧通知」である旨を確認することで、取得を望む画像データの選択と、所望のファイル形式の指定を使用者が要求していると判定し、その旨を主制御部２０１に対して通知する。
【００５８】
一方、受信した電子メールが上記の必要画像データ、ファイル形式指定メール７００’でない場合、すなわち、電子メールの件名を解析した結果、「Ｒｅ：格納画像データ一覧通知」という記載を確認できなかった場合、メール解析部２１２は、取得を望む画像データの選択と、所望のファイル形式の指定を使用者が要求していると判定できなかたった旨を主制御部２０１に対して通知する。そして、主制御部２０１は、この旨をＩ／Ｆ制御部２０６を介して電子メールにて使用者に通知する。
【００５９】
ところで、取得を望む画像データの選択と、所望のファイル形式の指定を使用者が要求しているとメール解析部２１２により判定され、その旨が通知された主制御部２０１は、使用者の要求に応える動作を開始する。具体的には、主制御部２０１は、画像データ変換処理部２０９に対して必要画像データ、ファイル形式指定メール７００’に記載されている内容を通知する。
【００６０】
主制御部２０１からの通知を受けた画像データ変換処理部２０９の画像データ指定部３０１は、画像データ格納部２０５に格納されている画像データから、使用者により選択された画像データ情報に対応する画像データを選択するとともに、当該画像データを画像データ変換部３０３に出力する。
【００６１】
また、主制御部２０１からの通知を受けた画像データ変換処理部２０９の変換形式指定判定部３０２は、使用者により指定されたファイル形式を判定するとともに、当該判定結果を画像データ変換部３０３に通知する。
【００６２】
使用者により選択された画像データが入力され、同使用者により指定されたファイル形式の通知を受けた画像データ変換部３０３は、入力されたＢＭＰ形式の画像データを変換形式指定判定部３０２により通知されたＰＤＦ形式、ＪＰＥＧ形式、又はＴＩＦＦ形式の何れかのファイル形式に変換する。
【００６３】
そして、主制御部２０１は、画像データ変換部３０３により変換された画像データを使用者宛ての電子メールに添付し、Ｉ／Ｆ制御部２０６を介して外部ＰＣ２１１に対して電子メールにて送信させる（図４  ステップＳ１０４）。
【００６４】
このとき、送信される画像データ添付メールの一形態を図８に示す。画像データ添付メール８００は、宛先８０１、件名８０２、画像データ名称８０４、格納日時８０５、指定ファイル形式８０７、及び添付画像データアイコン８１０から構成される。
【００６５】
宛先８０１には、外部ＰＣ２１１における使用者の電子メール受信アドレスである「ｐｃ２１１＠ｘｘｘ．ｃｏｍ」が入力され、件名８０２には、ＭＦＰ１が送信した電子メールに使用者により指定されたファイル形式の画像データが添付されている旨を表わす「指定画像添付メール」が入力される。
【００６６】
画像データ名称８０４は、画像データ添付メール８００に添付された画像データに対応した名称であり、通常は、格納画像データ一覧通知メール７００の画像データ名称７０４と同一の名称が表示される。
【００６７】
格納日時８０５は、画像データ添付メール８００に添付された画像データのファイル形式変更前の元画像データが画像データ格納部２０５に格納された日時、元画像データの編集日時、又は元画像データ名称の変更日時等の日時情報であり、通常は、格納画像データ一覧通知メール７００の格納日時７０５と同じ日時情報が表示される。
【００６８】
指定ファイル形式８０７は、画像データ添付メール８００に添付され、使用者により指定された画像データのファイル形式を表わし、通常は、格納画像データ一覧通知メール７００のファイル形式指定プルダウンメニュー７０７において、使用者により指定されたファイル形式が表示される。
【００６９】
添付画データアイコン８１０は、画像データ添付メール８００に添付された所定のファイル形式（例えば、ＪＰＥＧ形式）の画像データを表わすアイコンである。
【００７０】
最後に、使用者は外部ＰＣ２１１を介して画像データ添付メール８００を受信することにより、所望のファイル形式に変換された画像データを取得することができる（図４  ステップＳ１０５）。
【００７１】
なお、本実施形態の説明においては、使用者が選択する画像データは１つの場合を一例として説明したが、これに限定されず、必要画像データ、ファイル形式指定メール７００’の画像データ選択チェックボックス７０６’において複数の画像データを選択し、所望するファイル形式を指定することにより、複数の所望するファイル形式の画像データを同時に取得することも可能である。
【００７２】
以上のように、第１の実施形態によれば、所定のファイル形式で格納された画像データを使用者が所望するファイル形式で取得することができるため、使用者の利便性を向上させることができる。
【００７３】
[第２の実施形態]
第２の実施形態にかかるＭＦＰ１’の構成は第１の実施形態にかかるＭＦＰ１の構成と略同一である。したがって、第２の実施形態の説明においては、第１の実施形態と同一な箇所については、同一の符号を付してその説明を省略し、異なる箇所について説明する。
【００７４】
図９は、第２の実施形態にかかるＭＦＰ１’の機能構成を説明するための機能ブロック図である。第２の実施形態にかかるＭＦＰ１’のプリンタ部１０２’は、第１の実施形態にかかるプリンタ１０２の構成に加え、画像データサイズ判定部２１３を備える。
【００７５】
画像データサイズ取得部としての画像データサイズ判定部２１３は、主制御部２０１による制御に基づき、スキャナ部１０１が生成した画像データや、外部ＰＣ２１１から受信した画像データが画像データ格納部２０５にＢＭＰ形式の画像データとして格納される前に、上記画像データが、例えば、ＰＤＦ形式、ＪＰＥＧ形式、又はＴＩＦＦ形式等の所定のファイル形式の画像データに変換された場合の画像データサイズを判定するとともに、当該判定結果に対応させて各画像データを画像データ格納部２０５に格納させる。この判定結果、つまり、ファイル形式毎の画像データサイズは、格納画像一覧作成部３０４が格納画像データ一覧を作成する場合に、一覧化される内容の一つとして使用される。
【００７６】
次に、上記構成を備えた第２の実施形態にかかる動作について説明する。図１０は、使用者が所望するファイル形式の画像データが取得されるまでの動作を説明するフローチャートである。
【００７７】
まず、図１０のステップＳ１１０１において、外部ＰＣ２１１を使用する使用者は、ＭＦＰ１’に格納されている画像データを知るために、図示せぬ電子メールソフトウェアを用いて格納画像データ一覧要求メールをＭＦＰ１’に対して送信する。格納画像データ一覧要求メールの記載内容は、第１の実施形態にかかる格納画像データ一覧要求メール６００と同一であるため、ここでの説明は省略する。
【００７８】
外部ＰＣ２１１から送信された電子メールをＩ／Ｆ制御部２０６を介して受信すると、ＭＦＰ１’の主制御部２０１は、受信した電子メールをメール解析部２１２に出力する。そして、メール解析部２１２は、入力された電子メールの解析・判定を行う。具体的には、メール解析部２１２は、入力された電子メールの件名を解析し、当該件名に「一覧要求」という記述があるか否かを判定する。ここで、受信した電子メールが上記の格納画像データ一覧要求メールである場合、メール解析部２１２は件名を解析し、当該件名の入力内容が「格納画像データ一覧要求」である旨を確認することで、ＭＦＰ１’の画像データ格納部２０５に格納された画像データに対応する画像データ情報の一覧を使用者が要求していると判定し、その旨を主制御部２０１に対して通知する。
【００７９】
一方、受信した電子メールが上記の格納画像データ一覧要求メールでない場合、すなわち、電子メールの件名を解析した結果、「一覧要求」という記述が確認できなかった場合、メール解析部２１２は、ＭＦＰ１’の画像データ格納部２０５に格納された画像データに対応する画像データ情報の一覧を使用者が要求していると判定できなかたった旨を主制御部２０１に対して通知する。そして、主制御部２０１は、この旨をＩ／Ｆ制御部２０６を介して電子メールにて使用者に通知する。
【００８０】
ところで、ＭＦＰ１’の画像データ格納部２０５に格納された画像データに対応する画像データ情報の一覧を使用者が要求しているとメール解析部２１２により判定され、その旨が通知された主制御部２０１は、使用者の要求に応える動作を開始する。具体的には、主制御部２０１は、画像データ変換処理部２０９に対して画像データ格納部２０５に格納されている画像データの格納画像データ一覧を作成するよう指示を与える。
【００８１】
主制御部２０１からの指示を受けた画像データ変換処理部２０９の格納画像データ一覧作成部３０４は、画像データ格納部２０５に格納されている画像データの一覧化を行い、格納画像データの一覧を作成する。そして、主制御部２０１は、作成された格納画像データの一覧を使用者宛ての電子メールに記載し、Ｉ／Ｆ制御部２０６を介して外部ＰＣ２１１に対して送信させる（図１０  ステップＳ１１０２）。
【００８２】
図１１は、外部ＰＣ２１１に対して送信される格納画像データ一覧通知メールの一例を説明する概略図である。図１１に示すように、格納画像データ一覧通知メール９００は、宛先９０１、件名９０２、画像データ番号９０３、画像データ名称９０４、格納日時９０５、画像データ選択チェックボックス９０６、ファイル形式指定プルダウンメニュー９０７、及びＫｅｙ指定ボックス９０８から構成される。
【００８３】
宛先９０１には、外部ＰＣ２１１における使用者の電子メール受信アドレスである「ｐｃ２１１＠ｘｘｘ．ｃｏｍ」が入力される。件名９０２には、ＭＦＰ１’が送信した電子メールの記載内容が格納画像データの一覧である旨を表わす「格納画像データ一覧通知」が入力される。
【００８４】
画像データ番号９０３は、画像データ格納部２０５に格納されているそれぞれの画像データに割り振られた通し番号である。この通し番号の割り振りには、特に制限はなく、例えば、画像データ格納部２０５に格納された日時順でも、画像データ名称のアルファベット順でもよく、適宜設定変更することができる。
【００８５】
画像データ名称９０４は、画像データ格納部２０５に格納されているそれぞれの画像データに対応させて命名された名称であり、操作部１０３を介して適宜決定・変更を行うことができる。なお、画像データ名称９０４に表示される各々の画像データ名称と画像データ格納部２０５における当該画像データの格納アドレスとを対応させることも可能である。すなわち、使用者が取得を望む画像データに対応する画像データ名称がマウス等の図示せぬ入力手段を用いて選択されたタイミングに合わせて、対応する画像データの内容をプレビュー形式で表示させることにより、使用者に対する利便性を高めるとともに、画像データの選択の瑕疵を事前に防止することができる。
【００８６】
格納日時９０５には、それぞれの画像データが画像データ格納部２０５に格納された日時、画像データの編集日時、又は画像データ名称の変更日時等の日時情報が表示される。
【００８７】
画像データ選択チェックボックス９０６は、使用者が取得を望む画像データの選択を受け付けるチェックボックスである。使用者による画像データの選択動作については、後ほど説明する。
【００８８】
ファイル形式指定プルダウンメニュー９０７は、使用者が所望する画像データのファイル形式の指定を受け付けるプルダウンメニューである。使用者による画像データのファイル形式の指定動作については、後ほど説明する。
【００８９】
Ｋｅｙ指定ボックス９０８は、使用者が指定する文字列の入力を受け付けるボックスである。ここで、使用者が文字列を入力すると、画像データ選択チェックボックス９０６において選択され、且つ、ファイル形式指定プルダウンメニュー９０７においてファイル形式が指定された画像データにおいて、Ｋｅｙ指定ボックス９０８に入力された文字列を含む頁の画像データのみを出力させることができる。
【００９０】
次に、上記構成の格納画像データ一覧通知メール９００に対して、使用者が取得を望む画像データの選択動作と、所望のファイル形式の指定動作とについて説明する。なお、本実施形態においては、上記選択動作、及び指定動作は、格納画像データ一覧通知メール９００に対する返信メールである必要画像データ、ファイル形式指定メール９００’を用いて行うものとする。ここで、以下の図１２（ａ）、図１２（ｂ）等で説明する図中の符号については、図１１で説明したものと同一な構成については、図１１で付した符号に「’」を付与してその説明は省略するものとする。
【００９１】
図１０のステップＳ１１０２において、ＭＦＰ１’から送信された格納画像データ一覧通知メール９００を受信すると、使用者は、受信した格納画像データ一覧通知メール９００に返信する形態で、取得を望む画像データの選択動作と、所望のファイル形式の指定動作を実行する（図１０  ステップＳ１１０３）。
【００９２】
具体的には、図１２（ａ）に示すように、使用者は、取得を望む画像データに対応する画像データ選択チェックボックス９０６’をマウス等の図示せぬ入力手段を用いて選択する。選択された画像データ選択チェックボックス９０６’にはチェックマークが表示され、使用者により当該画像データが選択された旨が示される。なお、上記画像データ選択チェックボックス９０６’へのチェックは、使用者が使用する外部ＰＣ２１１上での操作となるため、図示せぬ表示装置に表示された必要画像データ、ファイル形式指定メール９００’上の画像データ選択チェックボックス９０６’をマウスカーソル７０９でクリックした場合にチェックがなされる。
【００９３】
次に、図１２（ｂ）に示すように、使用者は、ファイル形式指定プルダウンメニュー９０７’に表示された、ＰＤＦ形式、ＪＰＥＧ形式、ＴＩＦＦ形式、又はＢＭＰ形式の何れかのファイル形式から所望のファイル形式を指定する。ここで、ファイル形式指定プルダウンメニュー９０７’には、画像データ選択チェックボックス９０６’において選択された画像データが各ファイル形式に変換された場合の画像データサイズも併せて表示される。なお、上記ファイル形式指定プルダウンメニュー９０７’におけるファイル形式の指定は、使用者が使用する外部ＰＣ２１１上での操作となるため、図示せぬ表示装置に表示された必要画像データ、ファイル形式指定メール９００’上のファイル形式指定プルダウンメニュー９０７’に表示された、ＰＤＦ形式、ＪＰＥＧ形式、ＴＩＦＦ形式、又はＢＭＰ形式の何れかのファイル形式をマウスカーソル９０９でクリックした場合に指定がなされる。
【００９４】
このようにして、使用者が取得を望む画像データの選択動作と、所望のファイル形式の指定動作とが行われた必要画像データ、ファイル形式指定メール９００’の表示例の一例を示したのが図１２（ｃ）である。図１２（ｃ）は、画像データ番号９０３’が“Ｎｏ．２”であり、画像データ名称９０４’が“旅行＿集合写真”である画像データが使用者により選択され、ファイル形式として“ＪＰＥＧ”形式が指定された例を説明する図である。なお、図示はしないが、使用者は、Ｋｅｙ指定ボックス９０８’に所定の文字列を入力することにより、画像データ名称が“旅行＿集合写真”に対応する画像データ内において、所定の文字列を含む頁に対応する画像データのみを出力させることも可能である。
【００９５】
そして、使用者が取得を望む画像データの選択動作と、所望のファイル形式の指定動作とが行われ、必要画像データ、ファイル形式指定メール９００’が作成されると、外部ＰＣ２１１は、当該必要画像、ファイルｋ形式指定メール９００’をＭＦＰ１’に対して電子メールにて送信する。
【００９６】
外部ＰＣ２１１から送信された電子メールをＩ／Ｆ制御部２０６を介して受信すると、ＭＦＰ１’の主制御部２０１は、受信した電子メールをメール解析部２１２に出力する。そして、メール解析部２１２は、入力された電子メールの解析・判定を行う。具体的には、メール解析部２１２は、入力された電子メールの件名を解析し、当該件名にＭＦＰ１’から外部ＰＣ２１１に対して送信された格納画像データ一覧通知メールに対する返信メールである旨を示す「Ｒｅ：格納画像データ一覧通知」という記載があるか否かを判定する。ここで、受信した電子メールが格納画像データ一覧通知メール９００の返信である必要画像データ、ファイル形式指定メール９００’である場合、メール解析部２１２は件名９０２’を解析し、当該件名９０２’の入力内容が「Ｒｅ：格納画像データ一覧通知」である旨を確認することで、取得を望む画像データの選択と、所望のファイル形式の指定を使用者が要求していると判定し、その旨を主制御部２０１に対して通知する。
【００９７】
一方、受信した電子メールが上記の必要画像データ、ファイル形式指定メール９００’でない場合、すなわち、電子メールの件名を解析した結果、「Ｒｅ：格納画像データ一覧通知」という記載が確認できなかった場合、メール解析部２１２は、取得を望む画像データの選択と、所望のファイル形式の指定を使用者が要求していると判定できなかたった旨を主制御部２０１に対して通知する。そして、主制御部２０１は、この旨をＩ／Ｆ制御部２０６を介して電子メールにて使用者に通知する。
【００９８】
ところで、取得を望む画像データの選択と、所望のファイル形式の指定を使用者が要求しているとメール解析部２１２により判定され、その旨が通知された主制御部２０１は、使用者の要求に応える動作を開始する。具体的には、主制御部２０１は、画像データ変換処理部２０９に対して必要画像データ、ファイル形式指定メール９００’に記載されている内容を通知する。
【００９９】
主制御部２０１からの通知を受けた画像データ変換処理部２０９の画像データ指定部３０１は、画像データ格納部２０５に格納されている画像データから、使用者により選択された画像データ情報に対応する画像データを選択するとともに、当該画像データを画像データ変換部３０３に出力する。
【０１００】
また、主制御部２０１からの通知を受けた画像データ変換処理部２０９の変換形式指定判定部３０２は、使用者により指定されたファイル形式を判定するとともに、当該判定結果を画像データ変換部３０３に通知する。
【０１０１】
使用者により選択された画像データが入力され、同使用者により指定されたファイル形式の通知を受けた画像データ変換部３０３は、入力されたＢＭＰ形式の画像データを変換形式指定判定部３０２により通知されたＰＤＦ形式、ＪＰＥＧ形式、又はＴＩＦＦ形式の何れかのファイル形式に変換する。
【０１０２】
そして、主制御部２０１は、画像データ変換部３０３により変換された画像データを使用者宛ての電子メールに添付し、Ｉ／Ｆ制御部２０６を介して外部ＰＣ２１１に対して送信させる（図１０  ステップＳ１１０４）。
【０１０３】
このとき、送信される画像データ添付メールの一形態を図１３に示す。画像データ添付メール１０００は、宛先１００１、件名１００２、画像データ名称１００４、格納日時１００５、指定ファイル形式１００７、及び添付画像データアイコン１０１０から構成される。
【０１０４】
宛先１００１には、外部ＰＣ２１１における使用者の電子メール受信アドレスである「ｐｃ２１１＠ｘｘｘ．ｃｏｍ」が入力され、件名１００２には、ＭＦＰ１が送信した電子メールに使用者により指定されたファイル形式の画像データが添付されている旨を表わす「指定画像添付メール」が入力される。
【０１０５】
画像データ名称１００４は、画像データ添付メール１０００に添付された画像データに対応した名称であり、通常は、格納画像データ一覧通知メール９００の画像データ名称９０４と同一の名称が表示される。
【０１０６】
格納日時１００５は、画像データ添付メール１０００に添付された画像データのファイル形式変更前の元画像データが画像データ格納部２０５に格納された日時、元画像データの編集日時、又は元画像データ名称の変更日時等の日時情報であり、通常は、格納画像データ一覧通知メール９００の格納日時９０５と同じ日時情報が表示される。
【０１０７】
指定ファイル形式１００７は、画像データ添付メール１０００に添付され、使用者により指定された画像データのファイル形式を表わし、通常は、格納画像データ一覧通知メール９００のファイル形式指定プルダウンメニュー９０７において、使用者により指定されたファイル形式が表示される。
【０１０８】
添付画データアイコン１０１０は、画像データ添付メール１０００に添付された所定のファイル形式（例えば、ＪＰＥＧ形式）の画像データを表わすアイコンである。
【０１０９】
最後に、使用者は外部ＰＣ２１１を介して画像データ添付メール１０００を受信することにより、所望のファイル形式に変換された画像データを取得することができる（図１０  ステップＳ１１０５）。
【０１１０】
なお、本実施形態の説明においては、使用者が選択する画像データは１つの場合を一例として説明したが、これに限定されず、必要画像データ、ファイル形式指定メール９００’の画像データ選択チェックボックス９０６’において複数の画像データを選択し、所望するファイル形式を指定することにより、複数の所望するファイル形式の画像データを同時に取得することも可能である。
【０１１１】
以上のように、第２の実施形態によれば、第１の実施形態の効果に加え、装置に格納されている画像データが所定のファイル形式に変換された場合の画像データサイズを事前に知ることができるため、使用者の利便性をより向上させることができる。
【０１１２】
本発明にかかる実施形態の説明において、ＭＦＰを一例に説明したが、本発明はこれに限定されず、例えば、ＰＣ、プリンタ、複合機等の画像処理装置にも適用することができる。
【符号の説明】
【０１１３】
１、 １’  ＭＦＰ
１０１  スキャナ部
１０２、１０２’  プリンタ部
１０３  操作部
２０１  主制御部
２０２  スキャナＩ／Ｆ制御部
２０３  操作部Ｉ／Ｆ制御部
２０４  印刷部
２０５  画像データ格納部
２０６  Ｉ／Ｆ制御部
２０７  ＲＯＭ
２０８  ＲＡＭ
２０９  画像データ変換処理部
２１０  データ通信バス
２１１  外部ＰＣ
２１２  メール解析部
２１３  画像データサイズ判定部
３０１  画像データ指定部
３０２  変換形式指定判定部
３０３  画像データ変換部
３０４  格納画像一覧作成部
【図１】
2011229038.tif 000003
【図２】
2011229038.tif 000004
【図３】
2011229038.tif 000005
【図４】
2011229038.tif 000006
【図５】
2011229038.tif 000007
【図６】
2011229038.tif 000008
【図７（ａ）】
2011229038.tif 000009
【図７（ｂ）】
2011229038.tif 000010
【図７（ｃ）】
2011229038.tif 000011
【図８】
2011229038.tif 000012
【図９】
2011229038.tif 000013
【図１０】
2011229038.tif 000014
【図１１】
2011229038.tif 000015
【図１２（ａ）】
2011229038.tif 000016
【図１２（ｂ）】
2011229038.tif 000017
【図１２（ｃ）】
2011229038.tif 000018
【図１３】
2011229038.tif 000019